(57)【要約】【課題】釣り人が竿杆外周に沿って誘導ガイドを移動させた際、その固定位置を容易に把握させることが可能な釣竿を提供する。【解決手段】本発明の釣竿１は、釣糸が導通する釣糸導通孔と、竿杆に対して軸方向に摺動可能な嵌合孔８ｃ´とを具備する誘導ガイド８を装着している。誘導ガイド８が装着される部分の竿杆外周には、嵌合孔８ｃ´との間で摺動抵抗が大きい領域１１と、それよりも摺動抵抗が軽減する領域１２と、嵌合孔の内周面を固定する領域１３とが、竿杆先端から元側に向けて順に形成されている。【選択図】図４
2008220176.tif 000002
【特許請求の範囲】
【請求項１】
釣糸が導通する釣糸導通孔と、竿杆に対して軸方向に摺動可能な嵌合孔とを具備する誘導ガイドを装着した釣竿において、
前記誘導ガイドが装着される部分の竿杆外周に、前記嵌合孔との間で摺動抵抗が大きい領域と、それよりも摺動抵抗が軽減する領域と、嵌合孔の内周面を固定する領域とを、竿杆先端から元側に向けて順に形成したことを特徴とする釣竿。
【請求項２】
前記摺動抵抗が大きい領域は、前記嵌合孔の内径よりも僅かに小さい外径を有する円周部であり、前記摺動抵抗が軽減する領域は、前記円周部に形成される段差であり、前記嵌合孔の内周面を固定する領域は、元側に向けて次第に拡径するテーパであることを特徴とする請求項１に記載の釣竿。
【発明の詳細な説明】
【技術分野】
【０００１】
本発明は、釣竿に関し、詳細には、竿杆外周に誘導ガイドを装着した釣竿に関する。
【背景技術】
【０００２】
従来、リールを装着して使用される釣竿には、釣糸を釣竿に沿ってガイドすべく固定ガイドを、所定間隔をおいて釣竿外周に糸止め等によって固定したものが知られている。また、釣竿によっては、そのような固定ガイド以外に、釣り人によって任意の位置に固定することが可能な誘導ガイドを装着することが知られている。
【０００３】
このような誘導ガイドは、例えば、特許文献１に開示されているように、釣糸が導通される釣糸導通孔と、竿杆が挿通される嵌合孔とを具備した板状の部材（本体部）によって構成されている。すなわち、竿杆の外周は、元側に移行するに連れて次第に拡径するテーパが形成されていることから、嵌合孔を竿杆外周に沿って元側に移動させることで、嵌合孔と竿杆外周が完全な嵌合状態となり、誘導ガイドの位置が固定される。
【０００４】
また、特許文献２には、上記した誘導ガイドを固定する位置が目視できるように、竿杆外周に固定位置をマーキングした釣竿が開示されている。
【特許文献１】実開昭５０−１１９５８９号
【特許文献２】実開昭４９−８４８２号
【発明の開示】
【発明が解決しようとする課題】
【０００５】
上記した特許文献１に開示されているように、誘導ガイドは、釣り人の操作によって、竿杆外周の任意位置に固定される。この場合、竿杆外周は、後方に向けて次第に拡径するテーパが形成されているため、釣り人の操作によっては、通常の嵌合位置よりも元側に強制的に移動させてしまうことがあり、これにより、竿杆外周に傷が付いたり、誘導ガイドが固着してしまうといった不都合が生じる。また、誘導ガイドが固着してしまうと、振出し式の釣竿では、竿杆を元竿に収納することができなくなったり、誘導ガイドを解放しようとして無理やり竿杆に衝撃を加えると、釣竿が破損等してしまう可能性もある。
【０００６】
また、上記した特許文献２に開示されている釣竿は、誘導式のガイドの固定位置をマークによって把握できるものの、周囲が暗い状態等、視認性が悪い状況では、上記した問題が生じてしまう。
【０００７】
本発明は、上記した問題に基づいてなされたものであり、釣り人が竿杆外周に沿って誘導ガイドを移動させた際、その固定位置を容易に把握させることが可能な釣竿を提供することを目的とする。
【課題を解決するための手段】
【０００８】
上記した目的を達成するために、本発明は、釣糸が導通する釣糸導通孔と、竿杆に対して軸方向に摺動可能な嵌合孔とを具備する誘導ガイドを装着した釣竿において、前記誘導ガイドが装着される部分の竿杆外周に、前記嵌合孔との間で摺動抵抗が大きい領域と、それよりも摺動抵抗が軽減する領域と、嵌合孔の内周面を固定する領域とを、竿杆先端から元側に向けて順に形成したことを特徴とする。
【０００９】
上記した構成によれば、釣り人が誘導ガイドを把持して、元側に摺動させると、摺動抵抗が大きい領域があり、続いてそれよりも摺動抵抗が軽減する領域があるため、その固定位置を把握させることが可能となる。すなわち、摺動抵抗が軽減する領域に移行した際、引き続き形成されている固定領域に近いことを感覚的に把握させることができるため、釣り人が、無理やり誘導ガイドを元側に移動させることを防止することが可能になる。
【発明の効果】
【００１０】
本発明の構成によれば、釣り人が竿杆外周に沿って誘導ガイドを移動させた際、その固定位置を容易に把握させることが可能な釣竿が得られる。
【発明を実施するための最良の形態】
【００１１】
以下、本発明に係る釣竿の一実施形態を、添付図面を参照して具体的に説明する。
図１は、本発明に係る釣竿の一実施形態を示す側面図である。
本実施形態の釣竿１は、元竿杆２と、元竿杆２に順次継合され、元竿杆２の内部に収納される複数（本実施形態では２本）の中竿杆３ａ，３ｂと、穂先竿杆４とを備えている。この場合、元竿杆と中竿杆は、例えば、強化繊維（炭素繊維やガラス繊維等）に合成樹脂を含浸せしめた、いわゆるＦＲＰによって管状に形成されている。また、穂先竿杆４については、ＦＲＰによって管状に形成されていても良いし、超弾性合金、又は繊維強化樹脂等によって中実状に形成されていても良い。
【００１２】
前記元竿杆２の基端側には、リール（図示せず）が装着されるリールシート２２が設けられている。また、各竿杆２、３ａ，３ｂ、４には、リールから繰出される釣糸が案内されるように複数のガイド部材が装着されている。本実施形態の釣竿では、これらのガイド部材の内、各竿杆の先端部分は、固定ガイド７として構成され、中間部分は、後述する誘導ガイド８として構成されている。
【００１３】
前記固定ガイド７は、糸巻き、接着、糸止め等によって竿杆外周に固定されており、前記穂先竿杆４の先端には、トップガイド９が固定されている。
【００１４】
次に、上記した誘導ガイド８の構成について説明する。
誘導ガイド８は、装着される位置に応じて、その大きさが設定されており、図２の斜視図で示すように、ステンレス、アルミ、チタン等によって形成される板状の本体部８Ａを備えている。この本体部８Ａには、釣糸が導通するリング状の釣糸導通孔８ａと、樹脂等によって形成される円筒部８ｃを嵌合、固定するためのリング状の固定孔８ｂが一体形成されている。
【００１５】
前記釣糸導通孔８ａの内面には、図３に示すように、釣糸との間で摺動抵抗を軽減するためにリング部材８ｄが取着されている。このリング部材８ｄは、例えば、セラミック、ステンレス等によって形成され、釣糸導通孔８ａの内面に取着される。また、前記固定孔８ｂの内面には、竿杆の外周に傷等を付けないように、合成樹脂等によって形成された円筒部８ｃが回り止めされた状態で固定されており、その内面で規定される嵌合孔８ｃ´が竿杆外周に対して摺動する面となっている。
【００１６】
一方、竿杆本体の外周（中竿杆３ａを図示する）には、図４に示すように、誘導ガイド８を装着するための誘導ガイド装着部１０が形成されている。本実施形態の誘導ガイド装着部１０は、デフォルメして示されているが、前記嵌合孔８ｃ´との間で摺動抵抗が大きい領域１１と、それよりも摺動抵抗が軽減する領域１２と、嵌合孔の内周面を固定する領域１３とを有しており、これらの領域は、図において、左側の竿杆の先端から元側に向けて順に形成されている。
【００１７】
前記摺動抵抗が大きい領域１１は、図５に示すように、前記嵌合孔８ｃ´の内径よりも僅かに小さい外径を有する円周部１１Ａによって形成されている。ここで、僅かに小さい外径とは、釣り人が導入ガイドを摘んで軸方向に摺動させた際、ある程度の抵抗を感じさせる程度の径差に設定されていれば良い。また、この摺動抵抗が大きい領域１１の軸方向長さＬは、前記円筒部８ｃの軸方向長さよりも長く形成されていることが好ましく、その外周面は、ストレート状に形成されている。なお、元側に向けて僅かに拡径するテーパ（摺動抵抗を次第に増加させる）を形成しておいても良い。
【００１８】
前記摺動抵抗が軽減する領域１２は、前記円周部１１Ａに形成される段差１２Ａによって形成されており、軸方向に所定の長さを有している。この場合、段差１２Ａは、前記円周部１１Ａとの間で０．０３〜０．１ｍｍ程度の差があれば良く、好ましくは、軸方向に延出し、円筒部８ｃよりも軸方向長さが長い円周溝によって構成される。
【００１９】
これにより、釣り人が誘導ガイドを把持して、摺動抵抗が大きい領域１１から摺動抵抗が軽減する領域１２に移行すると、図６、図７に示すように周方向に沿って空隙Ｇが生じて摺動抵抗が無くなる（軽減される）ため、この変動状態は釣り人に容易に認識させることができ、引き続き形成されているテーパ状の固定位置を把握させることが可能となる。
【００２０】
前記嵌合孔の内周面を固定する領域１３は、段差１２Ａの後端から次第に元側に向けて拡径するテーパ１３Ａ（５／１０００〜２０／１０００が望ましい）によって形成されており、釣り人が誘導ガイド８を後方側に移動させた際、図８に示すように、前記嵌合孔８ｃ´の内周面を固定することが可能になっている。
【００２１】
この場合、摺動解除位置端面（段差形成位置Ｐ１）と、圧入時の誘導ガイド８の先端位置Ｐ２との間は、０．５〜５ｍｍの範囲であることが望ましい。すなわち、摺動抵抗が大きい領域１１から完全に外れたことを認識させ、かつその状態で直ちに誘導ガイド８が固定できるように設定されている。
【００２２】
上記した構成の誘導ガイド装着部１０は、例えば、竿杆を形成する際、竿杆を形成する素材（プリプレグ）によって厚肉部分を一体形成した後、切削加工等することで形成することが可能である。或いは、竿杆形成後に樹脂等によって肉盛りを形成し、上記した各領域を切削加工したり、或いは、予めそのような領域が形成された管状体を嵌入して固着しても良い。
【００２３】
上記した構成によれば、釣り人が誘導ガイド８を把持して、元側に摺動させると、摺動抵抗が大きい領域１１があり、続いて摺動抵抗が軽減する領域１２があるため、釣り人に対し、誘導ガイド８の固定位置を感覚的に把握させることが可能になる。このため、釣り人が、無理やり誘導ガイド８を元側に移動させて、固着状態になることを防止することが可能になる。
【００２４】
以上、本発明の実施形態について説明したが、本発明は、上記した実施形態に限定されることはなく、種々変形することが可能である。例えば、上述した摺動抵抗が大きい領域１１、及び摺動抵抗が軽減する領域１２の構成については、例えば、嵌合孔８ｃ´が摺動する表面状態の変化（摩擦係数の変化）によって構成することも可能である。また、テーパ１３Ａに軸方向に沿うように多数の溝を形成し、かつ前記円筒部８ｃの内面（嵌合孔）８ｃ´にも同様の溝を形成して、誘導ガイド８が周方向に回転しないように構成しても良い。
【図面の簡単な説明】
【００２５】
【図１】本発明に係る釣竿の一実施形態を示す側面図。
【図２】誘導ガイドの構成を示す斜視図。
【図３】誘導ガイドの断面図。
【図４】摺動抵抗が大きい領域に誘導ガイドが位置した状態を示す軸方向断面図。
【図５】図４のＡ−Ａ線に沿った断面図。
【図６】摺動抵抗が軽減する領域に誘導ガイドが位置した状態を示す軸方向断面図。
【図７】図６のＢ−Ｂ線に沿った断面図。
【図８】嵌合孔の内周面を固定する領域に誘導ガイドが位置した状態を示す軸方向断面図。
【符号の説明】
【００２６】
１  釣竿
２  元竿杆
３ａ，３ｂ  中竿杆
４  穂先竿杆
８  誘導ガイド
８ａ  釣糸導通孔
８ｃ´  嵌合孔
１０  誘導ガイド装着部
１１  摺動抵抗が大きい領域
１２  摺動抵抗が軽減する領域
１３  嵌合孔の内周面を固定する領域
【図１】
2008220176.tif 000003
【図２】
2008220176.tif 000004
【図３】
2008220176.tif 000005
【図４】
2008220176.tif 000006
【図５】
2008220176.tif 000007
【図６】
2008220176.tif 000008
【図７】
2008220176.tif 000009
【図８】
2008220176.tif 000010